(57)【要約】      （修正有）【課題】低背化されかつ小さいＦナンバーを有し、ゴーストやフレアを効果的に抑制して、良好な結像性能を実現する撮影レンズ、及びそれを備えた撮像装置並びに携帯端末を提供する。【解決手段】物体側より順に配置された、正の屈折力を有する第１レンズＬ１、負の屈折力を有する第２レンズＬ２を含む５枚以上のレンズからなり、第１レンズＬ１の像側面、第２レンズＬ２の物体側面及び像側面のうち少なくとも１面の有効径外部に遮光膜ＳＭを形成する。これにより、物体側に近い位置に遮光部材を設けなくても、その開口端面部分から不要光が発生する問題を回避できる。【選択図】図２
2015225102.tif 000002
【特許請求の範囲】
【請求項１】
固体撮像素子の光電変換部に被写体像を結像させるための撮像レンズであって、
物体側より順に配置された、正の屈折力を有する第１レンズ、負の屈折力を有する第２レンズを含む５枚以上のレンズからなり、
前記第１レンズの像側面、前記第２レンズの物体側面及び像側面のうち少なくとも１面の有効径外部に遮光膜が形成され、
以下の条件式を満足することを特徴とする撮像レンズ。
０．０１＜Ｄ１２／Ｙ＜０．０２８      （１）
但し、
Ｄ１２：前記第１レンズと前記第２レンズの光軸上の間隔
Ｙ：前記固体撮像素子の撮像面対角線長（固体撮像素子の矩形実効画素領域の対角線長）の半分
【請求項２】
以下の条件式を満足することを特徴とする請求項１に記載の撮像レンズ。
１．１＜ｆ／ｆ１＜１．４      （２）
但し、
ｆ１：前記第１レンズの焦点距離
ｆ：前記撮像レンズ全系の焦点距離
【請求項３】
以下の条件式を満足することを特徴とする請求項１又は２に記載の撮像レンズ。
−０．６＞（ｒ１＋ｒ２）／（ｒ１−ｒ２）＞−１      （３）
但し、
ｒ１：前記第１レンズ物体側面の曲率半径
ｒ２：前記第１レンズ像側面の曲率半径
【請求項４】
以下の条件式を満足することを特徴とする請求項１〜３のいずれか１項に記載の撮像レンズ。
１．４＜Ｆｎｏ＜２．２      （４）
但し、
ｒ１：前記第１レンズ物体側面の曲率半径
ｆ：前記撮像レンズ全系の焦点距離
【請求項５】
請求項１〜４のいずれかに１項に記載の撮像レンズと、固体撮像素子とを有することを特徴とする撮像装置。
【請求項６】
請求項５に記載の撮像装置を備えることを特徴とする携帯端末。
【発明の詳細な説明】
【技術分野】
【０００１】
本発明は、固体撮像素子によって検出される被写体像を結像させるための小型の撮像レンズ及びかかる撮像レンズを備える撮像装置及び携帯端末に関する。
【背景技術】
【０００２】
近年、ＣＣＤ（Ｃｈａｒｇｅ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像素子の高性能化、小型化に伴い、撮像装置を備えた携帯電話や携帯情報端末が普及している。また、これらの撮像装置に搭載される撮像レンズには、さらなる低背化、高性能化への要求が高まっている。
【０００３】
ここで、高性能化の要求に応じて撮像レンズの結像性能を向上させるために、レンズ枚数を多くすることが一般的に行われる。しかるに、複数枚のレンズを用いて撮像レンズを形成した場合、各レンズに入射した光がレンズ内において内部反射し、結像に寄与しない不要な光（不要光）となって撮像素子の撮像面に入射してゴーストやフレアを発生することがある。このような不要光を抑制してゴーストやフレアをカットする技術としては、例えば特許文献１、２で示すように各レンズの有効領域外側に位置して環状の遮光板を配置し、鏡筒内に各レンズを組み付ける際、各レンズ間に遮光板を介在させるものが知られている。
【先行技術文献】
【特許文献】
【０００４】
【特許文献１】特開２０１０−３２９０２号公報
【特許文献２】特開２０１１−２４２５０４号公報
【発明の概要】
【発明が解決しようとする課題】
【０００５】
ところで、レンズ枚数の増加は低背化と相反するため、この解消のためレンズ間隔が切り詰められ、絞りなどの遮光部材の厚みも薄くなる傾向にあるが、板状の遮光部材では、必然的に厚みがあり、遮光部材の開口部には薄いが厚みを有する環状面（内周面）が必ず存在する。環状面には表面処理等が付きにくく、またプレス加工ではバリ等が残存する傾向がある。よって、この環状面に光が入射することで２次光源となり、不要光が発生してゴーストやフレアを発生させる恐れがある。特に、撮影レンズが低背化すると、環状面と撮像面の距離が短くなるため環状面からの反射光が撮像面に入射しやすくなり、上記のゴーストやフレアが生じる傾向が顕著になる。また、高性能化に関連してレンズの大口径化の要求もあるが、それに応じて撮影レンズのＦナンバーを小さくすると、レンズの有効径が大きくなり、それに伴い遮光部材の環状面の径も大きくなるから、上記のゴーストやフレアが増える恐れが高まる。
【０００６】
本発明は、このような問題点に鑑みてなされたものであり、低背化されかつ小さいＦナンバーを有しながらも、ゴーストやフレアを効果的に抑制して、良好な結像性能を実現する撮影レンズ、及びそれを備えた撮像装置並びに携帯端末を得ることを目的とする。
【課題を解決するための手段】
【０００７】
請求項１に記載の撮像レンズは、
固体撮像素子の光電変換部に被写体像を結像させるための撮像レンズであって、
物体側より順に配置された、正の屈折力を有する第１レンズ、負の屈折力を有する第２レンズを含む５枚以上のレンズからなり、
前記第１レンズの像側面、前記第２レンズの物体側面及び像側面のうち少なくとも１面の有効径外部に遮光膜が形成され、
以下の条件式を満足することを特徴とする。
０．０１＜Ｄ１２／Ｙ＜０．０２８      （１）
但し、
Ｄ１２：前記第１レンズと前記第２レンズの光軸上の間隔
Ｙ：前記固体撮像素子の撮像面対角線長（固体撮像素子の矩形実効画素領域の対角線長）の半分
【０００８】
本発明によれば、構成するレンズを５枚以上とすることで、結像性能が良好な撮影レンズを実現できる。又、物体側より順に、正の屈折力を有する第１レンズ、負の屈折力を有する第２レンズとする事で、主点を物体側に移動させる事が出来、低背な撮影レンズとすることができる。
【０００９】
条件式（１）は、撮影レンズを低背でかつＦナンバーを小さくしても良好な結像性能とするための条件を規定する。より具体的には、条件式（１）の値が下限を上回ることで第１レンズと第２レンズが干渉しにくい構成とすることが出来る。一方、条件式（１）の値が上限を下回ることで、低背な撮影レンズを実現できるほか、正の屈折力を有する第１レンズで光軸方向に曲げられた光線を、負の屈折力を持つ第２レンズへ、光線高が低くなり過ぎることがないように入射させることが出来るため、Ｆナンバーを小さくしても良好に球面収差の補正された光学系とすることが出来る。
【００１０】
更に、第１レンズの像側面、第２レンズの物体側面及び像側面のうち少なくとも１面の有効径外部に遮光膜を形成すれば、ゴーストやフレアを有効に抑制できるので、これにより、特に低背の撮像レンズにおいて物体側に近い位置に遮光部材を設けなくて済むので、その開口端面部分から不要光が発生するような問題を回避できる。以上により、小さなＦナンバーを持たせても、不要光が発生しにくい良好な結像性能の撮像レンズを構成することが出来る。
【００１１】
請求項２に記載の撮像レンズは、請求項１に記載の発明において、以下の条件式を満足することを特徴とする。
１．１＜ｆ／ｆ１＜１．４      （２）
但し、
ｆ１：前記第１レンズの焦点距離
ｆ：前記撮像レンズ全系の焦点距離
【００１２】
条件式（２）は、低背でかつ良好な結像性能を有する撮影レンズを実現するための条件を規定する。より具体的には、条件式（２）の値が下限を上回ることで、第１レンズの正の屈折力が強くなり、その像側に配置された負の屈折力を有する第２レンズと共に、比較的全長の短いテレフォトタイプを構成することとなるから、適度にテレフォト性を保ちながら第１レンズで発生する収差を出来るだけ抑えた構成とする事が出来るため、低背でかつ良好な結像性能の撮像レンズとすることが出来る。一方、条件式（２）の値が上限を下回ることで、第１レンズの屈折力を大きくし過ぎない構成とすることが出来、特にＦナンバーを小さくしても、球面収差の発生を抑えた良好な結像性能の撮像レンズとすることが出来る。
【００１３】
請求項３に記載の撮像レンズは、請求項１又は２に記載の発明において、以下の条件式を満足することを特徴とする。
−０．６＞（ｒ１＋ｒ２）／（ｒ１−ｒ２）＞−１      （３）
但し、
ｒ１：前記第１レンズ物体側面の曲率半径
ｒ２：前記第１レンズ像側面の曲率半径
【００１４】
条件式（３）は、低背でＦナンバーを小さくしつつも、球面収差発生による性能劣化を防ぐ条件を求めるために、いわゆるシェイピングファクターの値を規定する。より具体的には、第１レンズの物体側曲率半径ｒ１と像側曲率半径ｒ２を、条件式（３）の範囲を満たす範囲とすることにより、低背でＦナンバーを小さくししても、球面収差を抑えた良好な結像性能を有する撮像レンズを構成することが出来る。
【００１５】
請求項４に記載の撮像レンズは、請求項１〜３のいずれかに記載の発明において、以下の条件式を満足することを特徴とする。
１．４＜Ｆｎｏ＜２．２      （４）
但し、
ｒ１：前記第１レンズ物体側面の曲率半径
ｆ：前記撮像レンズ全系の焦点距離
【００１６】
条件式（４）は本発明において最も効果を奏する好適なＦナンバーの領域について規定する。より具体的には、条件式（４）の値が下限を上回ることで、特にコマ収差の良く補正された撮影レンズが実現できる。一方、条件式（４）の値が上限を下回ることで、光学性能の高い、小さいＦナンバーの撮影レンズを実現できる。
【００１７】
請求項５に記載の撮像装置は、請求項１〜４のいずれかに記載の撮像レンズと、固体撮像素子とを有することを特徴とする。
【００１８】
請求項６に記載の携帯端末は、請求項５に記載の撮像装置を備えることを特徴とする。
【発明の効果】
【００１９】
本発明によれば、低背化されかつ小さいＦナンバーを有しながらも、ゴーストやフレアを効果的にカットして、良好な結像性能を実現する撮影レンズ、及びそれを備えた撮像装置並びに携帯端末を得ることができる。
【図面の簡単な説明】
【００２０】
【図１】本実施の形態にかかる撮像装置５０の斜視図である。
【図２】撮像装置５０の撮像光学系の光軸に沿った断面を模式的に示した図である。
【図３】撮像ユニットを適用した携帯端末としてのスマートフォンの正面図（ａ）、及び撮像装置を適用したスマートフォンの背面図（ｂ）である。
【図４】図３のスマートフォンの制御ブロック図である。
【図５】実施例１の撮像レンズの光軸方向断面図である。
【図６】実施例１の収差図（（ａ）球面収差、（ｂ）非点収差、（ｃ）歪曲収差）である。
【図７】実施例２の撮像レンズの光軸方向断面図である。
【図８】実施例２の収差図（（ａ）球面収差、（ｂ）非点収差、（ｃ）歪曲収差）である。
【図９】実施例３の撮像レンズの光軸方向断面図である。
【図１０】実施例３の収差図（（ａ）球面収差、（ｂ）非点収差、（ｃ）歪曲収差）である。
【発明を実施するための形態】
【００２１】
以下、本発明の実施の形態を、図面を参照して説明する。図１は、本実施の形態にかかる撮像装置５０の斜視図であり、図２は、撮像装置５０の撮像レンズの光軸に沿った断面を模式的に示した図である。
【００２２】
図１、２に示すように、撮像装置５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う基板５２と、物体側からの光入射用の開口部を有し遮光部材からなる鏡筒としての筐体５３とを備え、これらが一体的に形成されている。
【００２３】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、撮像素子は上記ＣＭＯＳ型のイメージセンサーに限定されるものではなく、ＣＣＤ等の他のものを使用しても良い。
【００２４】
基板５２は、その上面で撮像素子５１及び筐体５３を支持している。図示していないが、基板５２は多数の信号伝達用パッドを有しており、不図示の配線を介して撮像素子５１と接続されている。
【００２５】
図２において、基板５２は、外部回路（例えば、撮像装置を実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。
【００２６】
図２において、筐体５３は、基板５２における撮像素子５１が設けられた面上に、撮像素子５１を覆うようにして固定配置されている。即ち、筐体５３は、撮像素子５１側の一端部が撮像素子５１を囲むように広く開口されると共に、他端部に小開口を有する物体側壁５３ａを形成しており、基板５２上に撮像素子５１側の一端部が当接固定されている。
【００２７】
筐体５３内に配置された撮像レンズ１０は、物体側より順に、第１レンズＬ１と、第２レンズＬ２と、第３レンズＬ３と、第４レンズＬ４と、第５レンズＬ５とを有する。本実施の形態では、第１レンズＬ１の像側面の有効径外、第２レンズＬ２の像側面及び物体側面の有効径外、第３レンズＬ３の像側面及び物体側面の有効径外、第４レンズＬ４の像側面及び物体側面の有効径外、第５レンズＬ５の像側面及び物体側面の有効径外に、黒色インク等の遮光膜ＳＭを形成している。尚、遮光膜ＳＭは、１レンズＬ１の像側面の有効径外、第２レンズＬ２の像側面及び物体側面の有効径外にのみ設けるようにし、それ以外は遮光部材を設けても良い。
【００２８】
レンズＬ１〜Ｌ５のフランジ部間にはスペーサＳＰが配置され、それぞれ軸間距離を規定している。又、第５レンズＬ５のフランジ部とＩＲカットフィルタＦとの間、及びＩＲカットフィルタＦと基板５２との間にも、スペーサＳＰがそれぞれ配置されている。なお、フランジ部間にスペーサを配置するのではなく、フランジ部同士が当接するような構成でもよい。
【００２９】
上述した撮像装置５０の動作について説明する。図３は、撮像装置５０を携帯端末としてのスマートフォン１００に装備した状態を示す図である。また、図４はスマートフォン１００の制御ブロック図である。
【００３０】
撮像装置５０は、例えば、筐体５３の物体側端面がスマートフォン１００の背面（図３（ｂ）参照）に設けられ、タッチパネル７０の裏側に相当する位置に配設される。
【００３１】
撮像装置５０は、スマートフォン１００の制御部１０１と接続され、輝度信号や色差信号等の画像信号を制御部１０１側に出力する。
【００３２】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０により得られた撮像データ等を一時的に格納する作業領域として用いられる及び一時記憶部（ＲＡＭ）９２とを備えている。
【００３３】
スマートフォン１００は、入力キー部６０の操作によって動作し、タッチパネル（表示部）７０に表示されたアイコン７１等をタッチすることで、撮像装置５０を動作させて撮像を行うことができる。撮像装置５０から入力された画像信号は、制御部１０１で後述する画像処理を施され、上記スマートフォン１００の制御系により、記憶部９１に記憶されたり、或いはタッチパネル７０で表示され、さらには、無線通信部８０を介して映像情報として外部に送信される。
【００３４】
［実施例］
以下、本発明の撮像レンズの実施例を示す。各実施例に使用する記号は下記の通りである。
ｆ：撮像レンズ全系の焦点距離
Ｆ：Ｆナンバー
２Ｙ：固体撮像素子の撮像面対角線長
Ｒ：曲率半径
Ｄ：軸上面間隔
Ｎｄ：レンズ材料のｄ線に対する屈折率
νｄ：レンズ材料のｄ線に対するアッベ数
【００３５】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００３６】
【数１】
2015225102.tif 000003
ただし、
Ａｉ：ｉ次の非球面係数
Ｒ  ：曲率半径
Ｋ  ：円錐定数
【００３７】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。また、長さに関する値は特に示さない限りｍｍとする。
【００３８】
［表１］
実施例1
f=3.62mm    fB=0.28mm    F=1.84      2Y=5.84mm 
面番号   R(mm)   D(mm)   Nd          νd     有効半径(mm)    
1*       1.690   0.670   1.54470     56.2    0.99    
2*(絞り)-17.129  0.050                       0.92    
3*       7.652   0.170   1.63470     23.9    0.90    
4*       2.146   0.423                       0.93    
5*       9.575   0.535   1.54470     56.2    1.11    
6*       ∞      0.460                       1.24    
7*       17.437  0.745   1.54470     56.2    1.41    
8*      -1.380   0.300                       1.70    
9*      -4.526   0.342   1.54470     56.2    2.25    
10*      1.244   0.450                       2.51    
11       ∞      0.110   1.51630     64.1    3.30    
12       ∞                                  3.30    
非球面係数 
第1面                      第6面       
K=  -0.16099E+01            K=  0.00000E+00
A4= 0.42509E-01             A4= -0.94188E-01
A6= -0.24907E-01            A6= 0.52351E-03
A8= 0.96714E-01             A8= -0.32026E-01
A10= -0.20014E+00           A10= 0.65498E-01
A12= 0.18931E+00            A12= -0.60565E-01
A14= -0.76314E-01           A14= 0.22566E-01
第2面                      第7面       
K=  -0.50000E+02            K=  0.50000E+02
A4= -0.80097E-01            A3= -0.42649E-01
A6= 0.34510E+00             A4= 0.48067E-01
A8= -0.59251E+00            A5= -0.10040E+00
A10= 0.43589E+00            A6= 0.14611E-01
A12= -0.13901E+00           A8= 0.10093E-01
A10= -0.10196E-01
A12= 0.10353E-02
第3面                      第8面      
K=  0.38417E+02             K=  -0.76240E+01
A4= -0.25522E+00            A3= -0.11300E+00
A6= 0.79024E+00             A4= 0.10455E-01
A8= -0.12284E+01            A5= 0.32856E-02
A10= 0.94293E+00            A6= 0.30690E-02
A12= -0.30120E+00           A8= 0.37157E-03
A10= -0.20447E-02
A12= 0.12798E-02
A14= -0.22925E-03
第4面                      第9面       
K=  -0.14022E+02            K=  0.79050E+00
A4= -0.19126E-01            A3= -0.24413E+00  
A6= 0.34238E+00             A4= 0.46216E-01
A8= -0.52334E+00            A5= 0.35437E-01
A10= 0.44676E+00            A6= 0.29272E-02
A12= -0.15009E+00           A8= -0.13992E-02 
A10= -0.10781E-03
A12= 0.75523E-05 
A14= 1.83536E-06
第5面                      第10面      
K=  0.21484E+02             K=  -0.85142E+01 
A4= -0.87540E-01            A3= -0.15196E+00
A6= -0.97850E-01            A4= 0.74618E-01
A8= 0.36161E+00             A5= -0.15556E-01
A10= -0.57724E+00           A6= 0.28003E-03
A12= 0.44668E+00            A8= -0.30821E-03
A14= -0.12141E+00           A10= -0.44514E-05 
A12= 0.34227E-05
A14= 0.17208E-06
単レンズデータ 
レンズ  始面    焦点距離(mm) 
1       1       2.860 
2       3       -4.755 
3       5       17.578 
4       7       2.380  
5       9      -1.755 
【００３９】
図５は、５枚玉にかかる実施例１の撮像レンズの断面図である。図中、Ｌ１は正の屈折力を有する第１レンズ、Ｌ２は負の屈折力を有する第２レンズ、Ｌ３は第３レンズ、Ｌ４は第４レンズ、Ｌ５は第５レンズ、Ｉは撮像面を示す。また、Ｆは光学的ローパスフィルタやＩＲカットフィルタ、固体撮像素子のシールガラス等を想定した平行平板である。実施例１では、第１レンズＬ１の像側面の有効径外側に遮光膜ＳＭを形成しており、これが開口絞りを兼ねている。尚、これ以外の面の有効径外側にも遮光膜ＳＭを形成しても良い。
【００４０】
図６は、実施例１の収差図（（ａ）球面収差、（ｂ）非点収差、（ｃ）歪曲収差）である。ここで、球面収差図において、点線はｇ線、実線はｄ線に対する球面収差量をそれぞれ表す。また、非点収差図において、実線Ｓはサジタル面、点線Ｍはメリディオナル面をそれぞれ表す（以下同じ）。
【００４１】
（実施例２）
実施例２のレンズデータを表２に示す。
【００４２】
［表２］
実施例2 
f=4.44mm    fB=0.16mm    F=1.65      2Y=7.13mm 
面番号  R(mm)   D(mm)   Nd          νd     有効半径(mm)    
1(絞り) ∞     -0.510                       1.35    
2*      1.985   0.698   1.54470     56.2    1.35    
3*     -28.306  0.066                       1.30    
4*      5.535   0.170   1.63470     23.9    1.29    
5*      2.179   0.591                       1.25    
6*      12.123  0.485   1.54470     56.2    1.34    
7*      59.674  0.353                       1.45    
8*      3.545   0.250   1.63470     23.9    1.50    
9*      3.189   0.420                       1.71    
10*     4.584   0.511   1.54470     56.2    2.04    
11*    -4.271   0.785                        2.33    
12*    -2.734   0.301   1.54470     56.2    2.91    
13*     3.221   0.400                       3.06    
14      ∞      0.110   1.51630     64.1    3.80    
15      ∞      0.140                       3.80    
非球面係数 
第2面                      第8面       
K=  0.46695E-01             K=  -0.18113E+02
A4= 0.12422E-02             A3= -0.43511E-01
A6= 0.11930E-02             A4= -0.83238E-01
A8= -0.12018E-02            A5= 0.27975E-01
A10= 0.26112E-03            A6= 0.61222E-02
A12= 0.15251E-03            A8= -0.74125E-02
A14= -0.24298E-04           A10= -0.15754E-02
A12= -0.30853E-03
第3面                      第9面       
K=  0.79642E+02             K=  -0.19818E+02
A4= 0.30231E-01             A3= -0.35095E-01
A6= -0.11095E-01            A4= -0.85873E-01
A8= 0.25488E-02             A5= 0.17000E-01
A10= 0.39247E-04            A6= 0.69687E-02
A12= 0.12816E-03            A8= -0.17639E-03
A14= -0.87590E-04           A10= -0.16414E-02
A12= -0.58437E-03
A14= 0.34133E-03
第4面                      第10面      
K=  -0.80000E+02            K=  -0.53282E+02
A4= -0.93774E-02            A3= -0.79511E-02
A6= 0.23810E-01             A4= 0.34286E-01
A8= -0.90361E-02            A5= -0.30286E-01
A10= 0.39037E-03            A6= -0.14277E-01
A12= 0.13688E-02            A8= 0.55789E-02
A14= -0.49469E-03           A10= -0.10757E-02
A12= -0.35738E-04
A14= 0.30390E-04
第5面                      第11面      
K=  -0.11597E+02            K=  0.22110E+01
A3= -0.56129E-02            A3= -0.18319E-01
A4= 0.53502E-01             A4= 0.50525E-01
A5= -0.21581E-01            A5= -0.18844E-01
A6= 0.13387E-01             A6= -0.54627E-02
A8= 0.51476E-02             A8= -0.50653E-04
A10= -0.17849E-03           A10= 0.27587E-03
A12= -0.12450E-02           A12= 0.48707E-04
A14= 0.90913E-03            A14= -0.10212E-04
第6面                      第12面      
K=  0.15750E+02             K=  -0.34852E+01
A3= -0.28358E-01            A3= -0.15768E+00
A4= 0.28055E-01             A4= 0.19739E-01
A5= -0.48514E-01            A5= 0.12310E-01
A6= 0.15722E-02             A6= 0.34547E-02
A8= 0.82537E-02             A8= -0.28030E-03
A10= -0.11432E-02           A10= -0.56024E-04
A12= -0.33624E-02           A12= 0.40916E-05
A14= 0.12936E-02            A14= 0.11161E-07
第7面                      第13面      
K=  -0.80000E+02            K=  -0.80000E+02
A3= -0.19689E-01            A3= -0.61547E-01
A4= -0.46325E-01            A4= 0.51438E-02
A5= 0.26192E-01             A5= 0.21366E-02
A6= -0.13062E-01            A6= 0.37555E-03
A8= -0.12384E-01            A8= -0.11651E-03
A10= 0.63474E-02            A10= -0.11217E-04
A12= -0.17594E-02           A12= -0.15337E-05
A14= 0.00000E+00            A14= 0.27034E-06
単レンズデータ 
レンズ  始面    焦点距離(mm) 
1       2       3.418 
2       4       -5.721 
3       6       27.713 
4       8       -68.197 
5      10       4.126  
6      12      -2.656 
【００４３】
図７は、６枚玉にかかる実施例２の撮像レンズの断面図である。図中、Ｌ１は正の屈折力を有する第１レンズ、Ｌ２は負の屈折力を有する第２レンズ、Ｌ３は第３レンズ、Ｌ４は第４レンズ、Ｌ５は第５レンズ、Ｌ６は第６レンズ、Ｓは開口絞り、Ｉは撮像面を示す。また、Ｆは光学的ローパスフィルタやＩＲカットフィルタ、固体撮像素子のシールガラス等を想定した平行平板である。実施例２では、第２レンズＬ２の物体側面の有効径外側に遮光膜ＳＭを形成している。尚、これ以外の面の有効径外側にも遮光膜ＳＭを形成しても良い。
【００４４】
図８は、実施例２の収差図（（ａ）球面収差、（ｂ）非点収差、（ｃ）歪曲収差）である。
【００４５】
（実施例３）
実施例３のレンズデータを表３に示す。
【００４６】
［表３］
実施例3  
f=4.58mm    fB=0.50mm    F=1.43      2Y=7.13mm  
面番号  R(mm)   D(mm)   Nd          νd     有効半径(mm)    
1*      2.313   0.868   1.54470     56.2    1.63    
2*     -12.457  0.067                       1.55    
3*      2.580   0.184   1.63470     23.9    1.40    
4*(絞り) 1.427  0.751                       1.25    
5*      26.864  0.364   1.54470     56.2    1.38    
6*      8.071   0.117                       1.52    
7*      2.893   0.399   1.54470     56.0    1.73    
8*      5.297   0.229                       1.83    
9*      10.394  0.204   1.63470     23.9    1.99    
10*     6.266   0.318                       2.07    
11*     9.890   0.725   1.54470     56.2    2.31    
12*    -1.519   0.416                       2.46    
13*    -36.524  0.250   1.54470     56.2    3.03    
14*     1.363   0.500                       3.23    
15      ∞      0.110   1.51630     64.1    3.66    
16      ∞                                  3.66    
非球面係数 
第1面                      第8面       
K=  -0.78337E+00            K=  0.49516E+01
A4= 0.10998E-01             A3= -0.48630E-01
A6= 0.19935E-02             A4= -0.30422E-01
A8= -0.14476E-02            A5= 0.21664E-01
A10= 0.14749E-02            A6= -0.48162E-01
A12= -0.52582E-03           A8= 0.14394E-01
A14= 0.78514E-04            A10= -0.21473E-02
A12= 0.15433E-03
第2面                      第9面       
K=  -0.80000E+02            K=  0.19384E+02
A4= 0.54387E-01             A3= -0.34426E-01
A6= -0.44045E-01            A4= -0.18491E+00
A8= 0.29272E-01             A5= 0.16448E+00
A10= -0.13246E-01           A6= -0.99215E-01
A12= 0.34036E-02            A8= 0.25258E-01
A14= -0.36430E-03           A10= -0.32168E-02
A12= 0.10308E-03
第3面                      第10面      
K=  -0.23424E+02            K=  -0.79582E+01
A4= 0.10166E-01             A3= -0.23532E-01
A6= -0.14596E-01            A4= -0.14625E+00
A8= 0.13597E-01             A5= 0.72069E-01
A10= -0.83321E-02           A6= -0.17988E-01
A12= 0.25503E-02            A8= 0.15502E-02
A14= -0.26968E-03           A10= 0.10814E-02
A12= -0.24776E-03
A14= 0.11398E-04
第4面                      第11面      
K=  -0.64921E+01            K=  -0.81499E+01
A3= 0.89946E-02             A3= -0.46126E-02
A4= 0.84109E-02             A4= 0.74692E-02
A5= 0.96314E-02             A5= -0.54544E-01
A6= 0.17804E-01             A6= 0.43213E-01
A8= -0.32888E-01            A8= -0.11945E-01
A10= 0.28671E-01            A10= 0.24908E-02
A12= -0.12852E-01           A12= -0.30035E-03
A14= 0.24952E-02            A14= 0.16797E-04
第5面                      第12面      
K=  -0.80000E+02            K=  -0.88275E+01
A3= -0.64562E-02            A3= -0.60231E-01
A4= 0.88079E-02             A4= -0.34674E-01
A5= -0.89401E-01            A5= 0.45711E-01
A6= 0.84792E-01             A6= -0.25881E-02
A8= -0.51032E-01            A8= -0.44273E-02
A10= 0.22436E-01            A10= 0.10881E-02
A12= -0.57837E-02           A12= -0.12577E-03
A14= 0.15816E-04            A14= 0.58623E-05
第6面                      第13面      
K=  0.57353E+01             K=  -0.79994E+02
A3= -0.29335E-01            A3= -0.81773E-01
A4= -0.94702E-01            A4= -0.50454E-01
A5= 0.19638E-02             A5= 0.17788E-01
A6= 0.22892E-01             A6= 0.83819E-02
A8= -0.10919E-01            A8= -0.73839E-03
A10= 0.96943E-03            A10= -0.57709E-04
A12= 0.70527E-03            A12= 0.95122E-05
A14= -0.32699E-03           A14= -0.33298E-06
第7面                      第14面      
K=  0.44923E+00             K=  -0.77301E+01
A3= -0.50475E-01            A3= -0.51413E-02
A4= -0.83920E-01            A4= -0.82827E-01
A5= 0.37601E-02             A5= 0.50438E-01
A6= -0.47136E-02            A6= -0.10817E-01
A8= 0.11743E-02             A8= 0.33488E-03
A10= 0.12272E-02            A10= -0.38934E-04
A12= 0.14471E-03            A12= 0.29516E-05
A14= -0.11564E-03           A14= -0.57045E-07
単レンズデータ   
レンズ  始面    焦点距離(mm)   
1       1       3.642 
2       3       -5.310  
3       5       -21.238  
4       7       11.008 
5       9       -25.101 
6      11       2.462 
7      13       -2.396 
【００４７】
図９は、７枚玉にかかる実施例３の撮像レンズの断面図である。図中、Ｌ１は正の屈折力を有する第１レンズ、Ｌ２は負の屈折力を有する第２レンズ、Ｌ３は第３レンズ、Ｌ４は第４レンズ、Ｌ５は第５レンズ、Ｌ６は第６レンズ、Ｌ７は第７レンズ、Ｉは撮像面を示す。また、Ｆは光学的ローパスフィルタやＩＲカットフィルタ、固体撮像素子のシールガラス等を想定した平行平板である。実施例３では、第２レンズＬ２の像側面の有効径外側に遮光膜ＳＭを形成しており、これが開口絞りを兼ねている。尚、これ以外の面の有効径外側にも遮光膜ＳＭを形成しても良い。
【００４８】
図１０は、実施例３の収差図（（ａ）球面収差、（ｂ）非点収差、（ｃ）歪曲収差）である。
【００４９】
各条件式に対応する各実施例の値を表４に示す。
【００５０】
【表４】
2015225102.tif 000004
【符号の説明】
【００５１】
１０  撮像レンズ
５０  撮像装置
５１  撮像素子
５１ａ  光電変換部
５２  基板
５３  鏡筒
６０  入力部
７０  タッチパネル
８０  無線通信部
９１  記憶部
９２  一時記憶部
１００  スマートフォン
１０１  制御部
Ｌ１〜Ｌ７  レンズ
ＳＭ  遮光膜
【図１】
2015225102.tif 000005
【図２】
2015225102.tif 000006
【図３】
2015225102.tif 000007
【図４】
2015225102.tif 000008
【図５】
2015225102.tif 000009
【図６】
2015225102.tif 000010
【図７】
2015225102.tif 000011
【図８】
2015225102.tif 000012
【図９】
2015225102.tif 000013
【図１０】
2015225102.tif 000014